(57)【要約】【課題】  引戸障子の窓枠への建込みを容易に行える片引き窓の提供。【解決手段】  上枠１及び下枠２と、上下枠間における左右方向の一方側で且つ屋外側位置に取付けた嵌殺し障子３と、上下枠間における左右方向の他方側で且つ屋内側位置に取付けてあると共に嵌殺し障子の屋内側に移動自在な引戸障子４とを備え、上枠は、左右方向の一方側の屋内側位置に設けた一方側レール５と、左右方向の他方側の屋内側位置に設けてあり且つ一方側レールに連続する他方側レール６とを有し、一方側レール５と他方側レール６の何れか一方が上枠１に着脱自在としてあり、下枠２は、左右方向の一方側屋内側位置から他方側屋内側位置に設けた下側レール７を有し、引戸障子４は、一方側レール５及び他方側レール６を呑み込むレール呑み込み溝８を上面に有すると共に下側レール７と係合する戸車９を下面に有し、上枠１の一方側レール５ないし他方側レール６を取外した範囲の上下枠間から引戸障子４を建込めるようにした。【選択図】      図１
2005146641.tif 000002
【特許請求の範囲】
【請求項１】
上枠及び下枠と、上下枠間における左右方向の一方側で且つ屋外側位置に取付けた嵌殺し障子と、上下枠間における左右方向の他方側で且つ屋内側位置に取付けてあると共に嵌殺し障子の屋内側に移動自在な引戸障子とを備え、上枠は、左右方向の一方側の屋内側位置に設けた一方側レールと、左右方向の他方側の屋内側位置に設けてあり且つ一方側レールに連続する他方側レールとを有し、一方側レールと他方側レールの何れか一方が上枠に着脱自在としてあり、下枠は、左右方向の一方側屋内側位置から他方側屋内側位置に設けた下側レールを有し、引戸障子は、一方側レール及び他方側レールを呑み込むレール呑み込み溝を上面に有すると共に下側レールと係合する戸車を下面に有し、上枠の一方側レールないし他方側レールを取外した範囲の上下枠間から引戸障子を建込めるようにしたことを特徴とする片引き窓。
【請求項２】
嵌殺し障子の上框の下縁と引戸障子の上框の下縁とは略同一高さ位置にあり、嵌殺し障子の下框の上縁と引戸障子の上框の上縁とは略同一高さ位置にあることを特徴とする請求項１記載の片引き窓。
【発明の詳細な説明】
【技術分野】
【０００１】
本発明は、片引き窓に関するものである。
【背景技術】
【０００２】
窓の一形態として、窓枠の上下枠間の左右方向の一方側に嵌殺し障子を設け、他方側に形成される開口部を引戸障子で閉鎖・開放する片引き窓がある。片引き窓では、引戸障子を室外側に、嵌殺し障子を室内側に取り付けた外動式と、引戸障子を室内側に、嵌殺し障子を室外側に取り付けた内動式とがあるが、引戸障子の建込みの容易さという点では、引戸障子を室内側から建込める内動式が優れている（特許文献１参照。）。窓枠の上枠と下枠には、引戸障子を案内するためのレールが枠と一体に設けてあり、レールは枠から分離できないのが普通である。レールを枠と別体で構成したものとしては、特許文献２に開示されているように、レールを障子一枚分の横幅と同じ長さだけ可動式とし、この可動式レールを障子ごと回動させることで、換気が行えるようにしたものがある。また特許文献３には、外建具と内建具とを備える開口部の構造において、外建具の取外しを容易とするために、内建具を支持する下枠のレールを取外せるようにしたものが開示されている。上枠のレールを取外せるようにしたものは、これまで無かった。
【特許文献１】特開昭６２−１３６８２号公報
【特許文献２】特開平３−１１５６９２号公報
【特許文献３】特開２０００−９６９３３号公報
【発明の開示】
【発明が解決しようとする課題】
【０００３】
内動式の片引き窓において、引戸障子をいわゆるけんどん式で上下枠間に建込むときには、障子上部を室外側に向けて傾けた状態で障子を一人で持ち上げて保持し、障子上框のレール呑み込み溝に上枠のレールを深く呑み込ませた上で、障子下框の戸車を下枠のレールに乗せる必要があり、引戸障子が大きく重いものであると、この作業もかなりの重労働である。本発明はこうした実情に鑑み、引戸障子の窓枠への建込みを一層容易に行える片引き窓の提供を目的とする。
【課題を解決するための手段】
【０００４】
上記の課題を達成するために請求項１記載の発明による片引き窓は、上枠及び下枠と、上下枠間における左右方向の一方側で且つ屋外側位置に取付けた嵌殺し障子と、上下枠間における左右方向の他方側で且つ屋内側位置に取付けてあると共に嵌殺し障子の屋内側に移動自在な引戸障子とを備え、上枠は、左右方向の一方側の屋内側位置に設けた一方側レールと、左右方向の他方側の屋内側位置に設けてあり且つ一方側レールに連続する他方側レールとを有し、一方側レールと他方側レールの何れか一方が上枠に着脱自在としてあり、下枠は、左右方向の一方側屋内側位置から他方側屋内側位置に設けた下側レールを有し、引戸障子は、一方側レール及び他方側レールを呑み込むレール呑み込み溝を上面に有すると共に下側レールと係合する戸車を下面に有し、上枠の一方側レールないし他方側レールを取外した範囲の上下枠間から引戸障子を建込めるようにしたことを特徴とする。嵌殺し障子、引戸障子は、各一枚ずつ設けたものに限らず、例えば嵌殺し障子の両側に引戸障子を設けたもの、二枚の嵌殺し障子の間に引戸障子を設けたものであってもよい。
【０００５】
請求項２記載の発明は、嵌殺し障子の上框の下縁と引戸障子の上框の下縁とは略同一高さ位置にあり、嵌殺し障子の下框の上縁と引戸障子の上框の上縁とは略同一高さ位置にあることを特徴とする。
【発明の効果】
【０００６】
請求項１記載の発明による片引き窓は、上枠に設けた一方側レールと他方側レールの何れか一方を上枠に着脱自在としてあるので、このレールを上枠から取外した状態で引戸障子を上下枠間に室内側より建込むことができ、従来のように引戸障子を持ち上げながら引戸障子のレール呑み込み溝に上枠のレールを呑み込ませる必要がないから、引戸障子を建込む際の労力が大いに軽減される。
【０００７】
請求項２記載の発明によれば、引戸障子を閉めたときに、嵌殺し障子の上框の下縁と引戸障子の上框の下縁とが略一直線となり、嵌殺し障子の下框の上縁と引戸障子の下框の上縁とが略一直線となるので、意匠性が良好となる。
【発明を実施するための最良の形態】
【０００８】
以下、本発明の実施の形態を図面に基づいて説明する。図１から図３は本発明の片引き窓の一実施形態を示しており、図１は室内側から見た正面図、図２は縦断面図、図３は横断面図である。この片引き窓は、上枠１、下枠２、左右の縦枠１４，１５とから窓枠１６が構成され、窓枠内の室内側から見て右側の屋外側位置に嵌殺し障子３を取付けてあり、窓枠内の室内側から見て左側の室内側位置に引戸障子４を取付けてあり、引戸障子４は嵌殺し障子３の室内側に移動自在としてある。引戸障子４の横幅は、嵌殺し障子３の略３分の１程度となっている。（以後、単に「右側」、「左側」と言ったときには、室内側から見ての右側、左側を意味する。）
【０００９】
上枠１は、図２に示すように、室内側に引戸障子４の上部を呑み込む引戸障子呑み込み溝部１７が下向きに開口するコ字状に形成され、その内底面にレール取付部１８を備え、レール取付部１８に引戸障子４の上部を案内するレールがビス１９で取付けてある。レールは上枠１の全長に亘って設けてあるが、図１に示すように、右側レール５と左側レール６の二部材からなり、これをレール取付部１８に取付けて連続させてある。左側レール６の長さは、引戸障子４の横幅よりも何ｃｍか長くしてある。右側レール５及び左側レール６は、断面略Ｌ字状の長尺材となっており、上枠１への取付面に室外側に向けて延びる鉤状の係止片２０ａ，２０ｂを備え、これを上枠側に設けた突条に室内側から係止させると共に、レールの室外側面をレール取付部の段部に突き当てた上で、上枠１にビス止めされている。したがって、右側レール５及び左側レール６の上枠１への着脱が容易に且つ強固に行え、しかも取付ける際には正確に位置決めした状態で取付けられる。上枠１の室外側には、上枠の上面から少し下がったところに、嵌殺し障子３の上框２２が一体に形成されている。
【００１０】
下枠２には、図２と図３に示すように、室内側位置に全長に亘って、引戸障子４の下部を案内する下側レール７が一体に形成されている。下枠２の室外側位置の中央部から右側の部分には、嵌殺し障子３の下框２３が取付けてある。嵌殺し障子下框２３の左側端部位置の上下枠間には、室外側召し合せ框２４が架設してある。そして室外側召し合せ框２４と右縦枠１４、上框２２、下框２３とで形成される枠内にガラス２５を保持し、嵌殺し障子３が構成されている。
【００１１】
引戸障子４は、上框２６、下框２７、室内側召し合せ框２８、戸先框２９とを枠組みし、その枠内にガラス３０を保持させて構成してある。上框２６にはレール呑み込み溝８を備え、下框２７には戸車９を備えている。なお、図中の３１はクレセントである。
【００１２】
本片引き窓は、図２に示すように、嵌殺し障子の上框の下縁１０、引戸障子の上框の下縁１１、及び上枠の下縁３３とが同一高さ位置にあり、嵌殺し障子の下框の上縁１２と引戸障子の下框の上縁１３とが同一高さ位置にある。そのため、ガラスによって向こう側を見通せる高さ範囲が嵌殺し障子３と引戸障子４とで同一であり、室内側から見ても室外側から見ても段違いの線が表れない。
【００１３】
次に、引戸障子４を上下枠間に建込む際の手順を述べる。まず、上枠１から左側レール６を取外しておく。次に、引戸障子４を両手で持ち上げて室内側より上下枠間に建込むのであるが、そのときは、まず引戸障子４の上部を上枠の引戸障子呑み込み溝部１７の左側レール６を取外した範囲内に呑み込ませてから、引戸障子下部の戸車９を下枠の下側レール７上に乗せる。上枠１の引戸障子呑み込み溝部１７の開口幅は、引戸障子４の厚みに対して十分余裕を持たせてあるので、この作業はいたって簡単に行える。次に、引戸障子４を図１の二点鎖線で示すように右側に移動させて、引戸障子のレール呑み込み溝８に右側レール５を呑み込ませる。そして、左側レール６を上枠のレール取付部１８に取付け、左側レール６を右側レール５と連続させれば、引戸障子４の建込み作業が完了する。なお、この実施形態のものでは、右側レール５を取外し、取外した右側レール５の範囲からも引戸障子４の建込みが可能である。
【００１４】
上述の実施形態では、右側レール５と左側レール６とが両方とも上枠１から取外せるようにしてあったが、どちらかが上枠１と一体に形成され、取外せないようにしてあってもよい。具体的には、上枠１の全長に亘ってレールを一体に押出し成形し、そのレールを一部切除して、そこに別体のレールを着脱自在に設けたものであってもよい。着脱自在とするレールは、引戸障子４の横幅以上の長さにする必要がある。また着脱自在とするレールは、上枠１の全長のどの位置に設けてもよい。
【００１５】
図４は本発明の片引き窓の別の実施形態を示している。上下枠間の左右方向の中央部の室外側位置には嵌殺し障子３を設けてあり、嵌殺し障子３の両側の室内側には引戸障子４，４を設けてあり、各引戸障子４は嵌殺し障子３の室内側に移動自在となっている。上枠１には、全長に亘って引戸障子４を案内するレールを備えており、その左右方向の中央部分３４が上枠１に対して着脱自在となっている。引戸障子４を上下枠間に建込む際には、そのレール中央部分３４を上枠１から取外して、その範囲の室内側から引戸障子４の建込みを行うことができる。
【図面の簡単な説明】
【００１６】
【図１】本発明に係る片引き窓の一実施形態を示す室内側正面図である。
【図２】図１に示す片引き窓の縦断面図である。
【図３】図１に示す片引き窓の横断面図である。
【図４】本発明に係る片引き窓の別の実施形態を示す室内側正面図である。
【符号の説明】
【００１７】
１  上枠
２  下枠
３  嵌殺し障子
４  引戸障子
５  右側レール（一方側レール）
６  左側レール（他方側レール）
７  下側レール
８  レール呑み込み溝
９  戸車
１０  嵌殺し障子上框の下縁
１１  引戸障子上框の下縁
１２  嵌殺し障子下框の上縁
１３  引戸障子下框の上縁
【図１】
2005146641.tif 000003
【図２】
2005146641.tif 000004
【図３】
2005146641.tif 000005
【図４】
2005146641.tif 000006